(57)【要約】【課題】空気調和機室内機電源の構成部品を小型化、低コスト化すること。【解決手段】ＡＣ電源に接続しＡＣ入力をＤＣ１２Ｖ出力３１とＤＣ５Ｖ出力３２として出力する、ＡＣ／ＤＣコンバータ４０と、出力３１に接続し換気ファンモータ１１と、室外機への送電用のリレーのコイル１２と、電気式空気清浄機１３と、上下吹出し方向を制御するステッピングモータ１４と、左右吹出し方向を制御するステッピングモータ１５等の負荷であり、前記各種負荷を制御する制御部４０とを備え、リモコンより発信された信号を室内機が受信すると、換気ファンモータ１１を停止させ、リモコン送信受信装置１６が送信受信を停止すると換気ファンモータ１１の通電を再度行うという制御を行うことで、出力電力容量を低減させることができ、構成部品を小型化出来ることで、省スペース化、コスト低減を図る。【選択図】図１ 
2005180756.tif 000002
【特許請求の範囲】
【請求項１】
ＡＣ電源をＤＣ出力に変換し出力する出力手段を持つＡＣ／ＤＣコンバータと、前記ＡＣ／ＤＣコンバータの出力を電源として駆動する空気調和機のユニット内の各アクチュエータ等の負荷と、前記各アクチュエータ等を制御する制御部からなる空気調和機であって、空気調和機の起動時に前記各アクチュエータ等のうち少なくとも１つを停止することを特徴とする空気調和機。
【請求項２】
アクチュエータ等は、室内側空気を屋外に排出する換気ファンと、電気式空気清浄器と、上下風向羽根を駆動するモータと、左右風向羽根を駆動するモータと、冷媒の流路を切換える４方弁並びに２方弁と、電子式膨張弁と、送風機のうちのいずれかであることを特徴とする、請求項１記載の空気調和機。
【請求項３】
空気調和機の起動時にはアクチュエータ等のうち、最大消費電力のものを停止することを特徴とする、請求項１〜２のいずれかに記載の空気調和機。
【請求項４】
空気調和機の起動時には、アクチュエータ等のうち消費電力の大きいものから所定の数だけ停止することを特徴とする、請求項１〜２のいずれかに記載の空気調和機。
【請求項５】
アクチュエータ等は同一の出力を電源とすることを特徴とする、請求項１〜４のいずれかに記載の空気調和機。
【発明の詳細な説明】
【技術分野】
【０００１】
本発明は、空気調和機の電源回路に関するものである。
【背景技術】
【０００２】
従来、空気調和機において、例えば室内空気を屋外へ排出する換気ファンなど様々なアクチュエータ等が搭載されている（例えば、特許文献１参照）。
【０００３】
図６は、ＡＣ電源に接続され、ＡＣ入力をＤＣ出力１（以下出力１）と、ＤＣ出力２（以下出力２）と、ＤＣ出力３（以下出力３）に変換し出力する、ＡＣ／ＤＣコンバータ１０（以下コンバータ１０）と、出力１に接続される重負荷Ａと、出力２に接続される、負荷Ｂ及び負荷Ｃと、出力３に接続される、負荷Ｄ及び負荷Ｅと、出力３に接続され且つ、前記各種負荷を制御する制御部２０とにより構成される空気調和機の室内機の電気回路のブロック図である。重負荷Ａは例えば特許文献２に記載の切り換え手段に相当している。
【０００４】
なお、空気調和機の動作は特許文献２に明らかである。
【特許文献１】特開２００１−２０８４１８号公報
【特許文献２】特開平５−３４６２７５号公報
【発明の開示】
【発明が解決しようとする課題】
【０００５】
空調機室内機の情報を手持ちのリモコンに表示させる双方向リモコンと室内機送信受信装置において、リモコンから信号を受けないときは、送信受信装置は駆動せず消費電流は０である。しかしながら、前記送信受信装置を駆動させるためにはある程度大きな電流が必要となり、それによって出力電力容量が大きくならざるを得ない。これは電源構成部品の大型化につながり、コストも高くなるという課題を有している。
【０００６】
また、近年では製品の低コスト化小型化が進んでおり、構成される電源回路でも同じ事が要求されている。
【０００７】
本発明は、前記課題を解決するものであり、構成部品の小型化、低コスト化を目的とするものである。
【課題を解決するための手段】
【０００８】
前記従来の課題を解決するために本発明の空気調和機は、ＡＣ電源をＤＣ出力に変換し出力する出力手段を持つＡＣ／ＤＣコンバータと、前記ＡＣ／ＤＣコンバータの出力を電源として駆動する空気調和機のユニット内の各アクチュエータ等の負荷と、前記各アクチュエータ等を制御する制御部からなる空気調和機であって、空気調和機の起動時に前記各アクチュエータ等のうち少なくとも１つを停止するもので、この構成をなすことにより、
圧縮機の大電力を必要とする起動時に、他のアクチュエータ等の駆動を一時停止することにより、電力消費量を所定の値以下に押さえることができ、制御部ならびにＡＣ／ＤＣコンバータを小型化することが出来る。
【発明の効果】
【０００９】
本発明の空気調和機は、出力電力容量の低減を行えることから、構成部品の小型化、それに伴う省スペース化、低コスト化を実現するものである。
【発明を実施するための最良の形態】
【００１０】
第１の発明は、ＡＣ電源をＤＣ出力に変換し出力する出力手段を持つＡＣ／ＤＣコンバータと、前記ＡＣ／ＤＣコンバータの出力を電源として駆動する空気調和機のユニット内の各アクチュエータ等の負荷と、前記各アクチュエータ等を制御する制御部からなる空気調和機であって、空気調和機の起動時に前記各アクチュエータ等のうち少なくとも１つを停止するもので、この構成をなすことにより、構成部品の小型化、それに伴う省スペース化、低コスト化を実現することができる。
【００１１】
第２の発明は、特に第１の発明のアクチュエータ等は、室内側空気を屋外に排出する換気ファンと、電気式空気清浄器と、上下風向羽根を駆動するモータと、左右風向羽根を駆動するモータと、冷媒の流路を切換える４方弁並びに２方弁と、電子式膨張弁と、送風機のうちのいずれかであるもので、この構成をなすことにより、空気調和機の小型化、それに伴う省スペース化、低コスト化を実現することができる。
【００１２】
第３の発明は、特に第１〜２の発明のいずれかの空気調和機の起動時にはアクチュエータ等のうち、最大消費電力のものを停止するもので、この構成をなすことにより、構成部品の小型化、それに伴う省スペース化、低コスト化を実現することができる。
【００１３】
第４の発明は、特に第１〜２の発明のいずれかの空気調和機の起動時には、アクチュエータ等のうち消費電力の大きいものから所定の数だけ停止するもので、この構成をなすことにより、構成部品の小型化、それに伴う省スペース化、低コスト化を実現することができる。
【００１４】
第５の発明は、特に第１〜４のいずれかの発明のアクチュエータ等は同一の出力を電源とするもので、この構成をなすことにより、構成部品の減少、プリント基板の配線パターンも統合でき、電源の小型化とそれに伴う省スペース化、低コスト化を実現することができる。
【００１５】
以下、本発明の実施の形態について図面を参照しながら説明する。なお、この実施の形態によって本発明が限定されるものではない。
【００１６】
（実施の形態１）
図１〜図５を用いて本発明の第１の実施の形態について説明する。
【００１７】
図１は、ＡＣ電源に接続され、ＡＣ入力をＤＣ１２Ｖ出力３１（以下出力３１）とＤＣ５Ｖ出力３２（以下出力３２）として出力する、ＡＣ／ＤＣコンバータ４０（以下コンバータ４０）と、出力３１に接続される負荷である、換気ファンモータ１１と、室外機への送電用のリレーの２次側コイル１２（以下リレーコイル１２）と、電気式空気清浄機１３と、風の上下吹き出し方向を制御する上下ステッピングモータ１４（以下上下ＳＴＭ１４）と、風の左右吹き出し方向を制御する左右ステッピングモータ１５（以下左右ＳＴＭ１５）と、リモコン送信受信装置１６と、出力３１に接続される負荷であり、前記各種負荷を制御する制御部４０とにより構成される空気調和機の室内機の電気回路のブロック図である。
【００１８】
図２は、前記コンバータ４０の負荷群への出力の制御タイミングチャートを示す。
【００１９】
通常の運転時には、出力３１の出力電流は、出力容量の４割程度を占める。しかしながら、リモコン送信受信装置１６を駆動させるためには単独で出力容量の７割程度の電流が必要となっている。そこで、図２Ａにおいてリモコンより発信された信号を室内機リモコン送信受信装置１６が受信すると、まずＢで換気ファンモータ１１を停止させる。一定時間の後Ｃでリモコン送信受信装置１６よりリモコンへ向けて信号を送信する。一定時間送
信した後Ｄでリモコン送信受信装置１６を停止する。Ｅで換気ファンモータ１１の通電を再度行うという制御を行うことでリモコン送信受信を行う。この間、空気調和機として必要であるリレーコイル１２は駆動のままにしている。この制御を行うことにより、出力電力容量を低減させることができ、構成部品を小型化出来ることで、省スペース化、コスト低減を図ることが出来るものである。
【００２０】
また、図３は換気ファンの代わりに空気清浄器を、図４は上下風向羽根用のステッピングモータを、図５は左右風向羽根用のステッピングモータを起動時に停止する場合のタイミングチャートである。
【産業上の利用可能性】
【００２１】
この考案は、空気調和機のみならず、アクチュエータを搭載した様々な機器において、電源装置の小型化、省スペース化、コスト低減に応用することができる。
【図面の簡単な説明】
【００２２】
【図１】本発明の実施の形態１における空気調和機のブロック図
【図２】本発明の実施の形態１における制御のタイミングチャート
【図３】本発明の実施の形態１における制御のタイミングチャート
【図４】本発明の実施の形態１における制御のタイミングチャート
【図５】本発明の実施の形態１における制御のタイミングチャート
【図６】従来の空気調和機のブロック図
【符号の説明】
【００２３】
１  ＤＣ出力１
２  ＤＣ出力２
３  ＤＣ出力３
１０  ＡＣ／ＤＣコンバータ
１１  換気ファンモータ
１２  リレーコイル
１３  空気清浄機
１４  上下ステッピングモータ（上下ＳＴＭ）
１５  左右ステッピングモータ（左右ＳＴＭ）
１６  リモコン送信受信装置
２０  制御部
３１  ５Ｖ出力
３２  １２Ｖ出力
４０  ＡＣ/ＤＣコンバータ
５０  制御部
【図１】
2005180756.tif 000003
【図２】
2005180756.tif 000004
【図３】
2005180756.tif 000005
【図４】
2005180756.tif 000006
【図５】
2005180756.tif 000007
【図６】
2005180756.tif 000008